(57)【要約】【課題】梱包箱内部を、強度を確保しつつ容易に仕切ることができる梱包箱構造を得る。また、梱包箱の側面部からの衝撃を吸収する緩衝部材を梱包箱内部に容易に配置させることができる梱包箱構造を得る。【解決手段】１枚のダンボールを角柱状に折り曲げ筒状としたスリーブと、複数の前記スリーブを隙間なく収納するダンボール梱包箱とを備え、前記ダンボール梱包箱に前記スリーブを複数配置することで前記ダンボール梱包箱の内部を複数の空間に仕切るようにした。また、ダンボールを角柱状に折り曲げ筒状とした緩衝スリーブと、前記緩衝スリーブを収納するダンボール梱包箱とを備え、前記緩衝スリーブを前記ダンボール梱包箱内部の側面及びつま面に沿うように配置した。【選択図】図１
2012236637.tif 000002
【特許請求の範囲】
【請求項１】
１枚のダンボールを角柱状に折り曲げ筒状としたスリーブと、複数の前記スリーブを隙間なく収納するダンボール梱包箱とを備え、前記ダンボール梱包箱に前記スリーブを複数配置することで前記ダンボール梱包箱の内部を複数の空間に仕切るようにしたことを特徴とする梱包箱構造。
【請求項２】
ダンボールを角柱状に折り曲げ筒状とした緩衝スリーブをさらに備え、前記緩衝スリーブを前記ダンボール梱包箱内部の側面及びつま面に沿うように配置したことを特徴とする請求項１記載の梱包箱構造。
【請求項３】
ダンボールを角柱状に折り曲げ筒状とした緩衝スリーブと、前記緩衝スリーブを収納するダンボール梱包箱とを備え、前記緩衝スリーブを前記ダンボール梱包箱内部の側面及びつま面に沿うように配置したことを特徴とする梱包箱構造。
【発明の詳細な説明】
【技術分野】
【０００１】
この発明は、仕切りにより梱包箱の内部を複数の空間に仕切った梱包箱構造に関するものである。
【背景技術】
【０００２】
従来の梱包箱構造には、仕切りの切れ込みに、別の仕切りの切れ込みを嵌め込むことによって、複数の仕切りを格子状に組んで、製品を収納する空間を作っていたものがある。このような構造では、仕切りに切れ込みがあることにより外部から衝撃を受けたときに仕切りが変形し、収納した製品が破損してしまう可能性があるという問題点があった。また、複数の仕切りの切れ込みを嵌め込んで製品を収納する空間を作る必要があるため、組立作業に時間がかかるという問題点があった。
【０００３】
この問題点を解決する従来技術として、仕切りを格子状に組んだ梱包箱構造において、梱包箱の側面部に沿った仕切りの端面部を外側に折り曲げることによって、収納した製品が水平方向に移動した際の仕切りの変形を防ぐことができるようにしたものがある（例えば、特許文献１参照）。
【０００４】
また、仕切りを格子状に組んだ梱包箱構造において、梱包箱と仕切りの間の区画の内径寸法に合わせた緩衝用スペーサを梱包箱と仕切りの間の区画に配置することによって、外部からの衝撃を吸収するようにしたものがある（例えば、特許文献２参照）。
【先行技術文献】
【特許文献】
【０００５】
【特許文献１】特開２００６−６２６６３号公報（第８−１１頁、第１図）
【特許文献２】特開平１１−２４０５７３号公報（第２頁、第１図）
【発明の概要】
【発明が解決しようとする課題】
【０００６】
従来の梱包箱構造では、仕切りに補強片１ｅやガイド部１ｇを設けることにより仕切りの強度は上がっているが、組立作業に時間がかかるという問題を解決できるものではない。
【０００７】
また、従来の梱包箱の側面部からの緩衝を吸収する構造では、仕切りにより複数に分けられている空間に複数の緩衝用スペーサをそれぞれ配置させる工程が必要なので、作業時間がさらにかかるという問題点があった。また、緩衝用スペーサは、空間の形状が均一でない場合は複数種類の部材を用意する必要があり、空間の形状に合わせて緩衝用スペーサを選択して配置させることになるので、作業が煩雑になってしまうという問題点もあった。さらに、格子の数が変化し空間の寸法が変わる場合には、例え梱包箱の形状が変わらなかったとしても、形状を変えた緩衝用スペーサを新たに用意する必要があるという問題点があった。
【０００８】
この発明は、上述のような課題を解決するためになされたものであり、第１の目的は、梱包箱内部を、強度を確保しつつ容易に仕切ることができる梱包箱構造を得ることである。
【０００９】
また、第２の目的は、梱包箱の側面部からの衝撃を吸収する緩衝部材を梱包箱内部に容易に配置させることができる梱包箱構造を得ることである。
【課題を解決するための手段】
【００１０】
この発明に係る梱包箱構造は、１枚のダンボールを角柱状に折り曲げ筒状としたスリーブと、複数の前記スリーブを隙間なく収納するダンボール梱包箱とを備え、前記ダンボール梱包箱に前記スリーブを複数配置することで前記ダンボール梱包箱の内部を複数の空間に仕切るようにしたものである。
【００１１】
また、この発明に係る他の梱包箱構造は、ダンボールを角柱状に折り曲げ筒状とした緩衝スリーブと、前記緩衝スリーブを収納するダンボール梱包箱とを備え、前記緩衝スリーブを前記ダンボール梱包箱内部の側面及びつま面に沿うように配置したものである。
【発明の効果】
【００１２】
この発明は、１枚のダンボールを角柱状に折り曲げ筒状とした複数のスリーブをダンボール梱包箱に隙間なく収納するようにしたので、梱包箱内部を容易に仕切ることができる効果がある。
【００１３】
また、ダンボールを角柱状に折り曲げ筒状とした緩衝スリーブをダンボール梱包箱内部の側面及びつま面に沿うように収納するようにしたので、梱包箱の側面部からの衝撃を吸収する緩衝部材を梱包箱内部に容易に配置させることができる効果がある。
【図面の簡単な説明】
【００１４】
【図１】この発明の実施の形態１に係るダンボール梱包箱の全体構成を示す分解斜視図である。
【図２】この発明の実施の形態１に係るスリーブの展開図である。
【図３】この発明の実施の形態１に係るスリーブの組立途中の斜視図である。
【図４】この発明の実施の形態２に係るダンボール梱包箱の全体構成を示す分解斜視図である。
【図５】この発明の実施の形態２に係る緩衝スリーブの展開図である。
【図６】この発明の実施の形態２に係る緩衝スリーブの組立途中の斜視図である。
【発明を実施するための形態】
【００１５】
実施の形態１．
図１は、この発明の実施の形態１におけるダンボール梱包箱の全体構成を示す分解斜視図である。図１において、製品を収納するための空間を形成する複数のスリーブ１を梱包箱２の中に配置している。スリーブ１及び梱包箱２は、いずれもダンボールで生成されている。
【００１６】
図２はスリーブ１の展開図、図３はスリーブ１の組立途中の斜視図である。
スリーブ１は図２に示すように１枚のダンボールからなり、複数個所に予め折り目１ａが形成されている。図３のように、折り目１ａを折り曲げることで仕切り面部（大）１ｂと２つの側面部１ｃと２つの仕切り面部（小）１ｄで囲む角柱状の筒となる。
【００１７】
次に、梱包箱２とスリーブ１の具体的な構成について説明する。
梱包箱２の内部を４つの空間に仕切る場合には、梱包箱２に４つのスリーブ１を並べて配置する。４つのスリーブ１は、１つ目のスリーブ１の仕切り面部（大）１ｂと２つ目のスリーブ１の２つの仕切り面部（小）１ｄとが互いに接し、２つ目のスリーブ１の仕切り面部（大）１ｂと３つ目のスリーブ１の２つの仕切り面部（小）１ｄとが互いに接し、３つ目のスリーブ１の仕切り面部（大）１ｂと４つ目のスリーブ１の２つの仕切り面部（小）１ｄとが互いに接するように配置する。このように、スリーブ１の２つの仕切り面部（小）１ｄの接する位置を角柱の角部ではなく、仕切り面部の中央付近にすることで隣接するスリーブ１に押されて変形することを防ぐことができる。
【００１８】
また、スリーブ１の寸法は、収納する製品の大きさ及び形状により決定し、梱包箱２の寸法は、内部に配置するスリーブ１の大きさ及び形状により決定する。
【００１９】
スリーブ１の幅及び長さ方向の寸法は、製品が収納可能な大きさであるが、スリーブ１の高さ寸法は、収納する製品に合わせて梱包箱２の内部を仕切るのに必要な高さを有していれば、必ずしも梱包箱２の高さ寸法と一致させる必要はなく、梱包箱２の高さ寸法より短くても構わない。
【００２０】
また、梱包箱２の幅及び長さ方向の寸法は、梱包箱２の２つの側面部２ａの内側の寸法がスリーブ１の仕切り面部（大）１ｂの外側の寸法と一致するようにし、かつ、梱包箱２の２つのつま面部２ｂの内側の寸法がスリーブ１の側面部１ｃの４つの幅の合計と一致するようにする。梱包箱２の高さ方向の寸法は、梱包する製品が収納可能な大きさにする。
【００２１】
このように、実施の形態１では、梱包箱２に複数のスリーブ１を並べて配置することで梱包箱の内部を容易に複数の空間に仕切ることができる。また、仕切りとなるスリーブ１には切れ込みが不要となるので、強度のある高価な材料を使用しなくても、仕切りの強度を確保することができる。
【００２２】
また、スリーブ１は、２つの仕切り面部（小）１ｄを粘着テープなどの接合部材で固定しなくとも、梱包箱２の内部に配置した段階で広がることなく角柱状の筒の形状を維持することが可能であり、全てのスリーブ１を梱包箱２の内部に配置するとスリーブ１の配置が一意に決まる。そのため、仕切りを格子状に組んだ梱包箱構造より、梱包作業が容易になり、梱包作業者の作業時間を削減することができる。
【００２３】
実施の形態２．
図４は、この発明の実施の形態２におけるダンボール梱包箱の全体構成を示す分解斜視図である。図４において、梱包箱２の２つの側面部２ａ及び２つのつま面部２ｂに沿う形状の緩衝スリーブ３を、複数のスリーブ１と梱包箱２との間に配置している。この緩衝スリーブ３は梱包箱２の側面部２ａ、つま面部２ｂ方向の衝撃からスリーブ１に収納した製品を保護するための緩衝部材である。スリーブ１、梱包箱２及び緩衝スリーブ３は、いずれもダンボールで生成されている。
【００２４】
図５は緩衝スリーブ３の展開図、図６は緩衝スリーブ３の組立途中の斜視図である。
緩衝スリーブ３は図５に示すように１枚のダンボールからなり、複数個所に予め折り目３ａ、３ｂと切れ目３ｃとが形成されている。図６のように、折り目３ａを折り曲げ、折り目３ｂを折り目３ａとは逆の方向に折り曲げることで、２つの内側側面部３ｄと２つの内側つま面部３ｈとで囲む角柱状の筒が形成される。２つの内側側面部３ｄの外側には、内側側面部３ｄと側面折り曲げ部３ｅと外側側面部３ｆと側面折り曲げ部中央３ｇとで囲む角柱状の筒がそれぞれ２つずつ形成される。２つの内側つま面部３ｈの外側には、内側つま面部３ｈとつま面折り曲げ部３ｉと外側つま面部３ｊとつま面折り曲げ部中央３ｋとで囲む角柱状の筒がそれぞれ２つずつ形成される。
【００２５】
次に、梱包箱２、スリーブ１及び緩衝スリーブ３の具体的な構成について説明する。
梱包箱２の内部を４つの空間に仕切る場合には、梱包箱２に緩衝スリーブ３を配置し、緩衝スリーブ３の２つの内側側面部３ｄと２つの内側つま面部３ｈとで形成された筒の内側に４つのスリーブ１を並べて配置する。４つのスリーブ１は、実施の形態１と同様のものである。
【００２６】
スリーブ１の寸法は収納する製品の大きさ及び形状により決定し、緩衝スリーブ３の寸法は内部に配置するスリーブ１の大きさ及び形状により決定し、梱包箱２の寸法は内部に配置する緩衝スリーブ３の大きさ及び形状により決定する。
【００２７】
緩衝スリーブ３の幅及び長さ方向の寸法は、緩衝スリーブ３の２つの内側側面部３ｄの寸法がスリーブ１の仕切り面部（大）１ｂの外側の寸法と一致するようにし、かつ、緩衝スリーブ３の２つの内側つま面部３ｈの寸法がスリーブ１の側面部１ｃの４つの幅の合計と一致するようにする。側面折り曲げ部３ｅ及びつま面折り曲げ部３ｉの幅は、梱包箱２の側面部２ａ、つま面部２ｂ方向から加わる落下衝撃に対し、梱包した製品が保護できるだけの空間を確保する寸法に決める。外側側面部３ｆは２つの合計が内側側面部３ｄと一致、外側つま面部３ｊは２つの合計が内側つま面部３ｈと一致、側面折り曲げ部中央３ｇは側面折り曲げ部３ｅと一致、つま面折り曲げ部中央３ｋはつま面折り曲げ部３ｉと一致させる。緩衝スリーブ３の高さ方向の寸法は、スリーブ１の高さ寸法とほぼ一致させるか、スリーブ１の高さと梱包箱２の高さとの間の高さとする。
【００２８】
次に、梱包箱２の幅及び長さ方向の寸法は、梱包箱２の２つの側面部２ａの内側の寸法が緩衝スリーブ３の内側側面部３ｄの長さと２つのつま面折り曲げ部３ｉの長さの合計と一致するようにし、かつ、梱包箱２の２つのつま面部２ｂの内側の寸法が緩衝スリーブ３の内側つま面部３ｈの幅と２つの側面折り曲げ部３ｅの幅の合計と一致するようにする。梱包箱２の高さ方向の寸法は、梱包する製品が収納可能となる大きさにする。
【００２９】
このように、実施の形態２では、梱包箱２と内部に格納される複数のスリーブ１との間に、外側に８つの角柱状の筒を有する緩衝スリーブ３を配置し、緩衝スリーブ３を梱包箱２の側面部２ａ及びつま面部２ｂの寸法に合わせた４面部の連続した部材で生成するようにしたので、仕切りの区画の寸法に関わらず１種類の緩衝スリーブ３で梱包箱２の側面部２ａ及びつま面部２ｂ方向の落下衝撃から、梱包した製品を保護することができる。
【００３０】
また、緩衝スリーブ３は、２つの外側側面部３ｆ及び２つの外側つま面部３ｊをそれぞれ粘着テープなどの接合部材で固定しなくとも、梱包箱２の内部に配置した段階で広がることなく角柱状の筒の形状を維持することが可能である。
さらに、位置ずれが起きることなく梱包箱２へ配置させることが可能であり、単純な折り曲げ作業のみで組み立てができるので、梱包作業が容易になり、梱包作業者の作業時間を削減することができる。
【００３１】
上記実施の形態２では、梱包箱２の内部に複数のスリーブ１を配置する構成としたが、梱包箱２の内部にスリーブ１を配置せず、緩衝スリーブ３のみを配置し、１つの製品を収納するようにしてもよい。
【００３２】
また、上記実施の形態２では、緩衝スリーブ３を４面部の連続した部材で生成するようにしたが、４面部の部材を梱包箱２の側面部寸法に合わせたそれぞれ別部材として、梱包箱２の２つの側面部２ａ及び２つのつま面部２ｂに沿ってそれぞれ配置するようにしてもよい。
【符号の説明】
【００３３】
１    スリーブ
２    ダンボール梱包箱
２ａ  側面部
２ｂ  つま面部
３    緩衝スリーブ
３ｄ  内側側面部
３ｈ  内側つま面部
【図１】
2012236637.tif 000003
【図２】
2012236637.tif 000004
【図３】
2012236637.tif 000005
【図４】
2012236637.tif 000006
【図５】
2012236637.tif 000007
【図６】
2012236637.tif 000008